(57)【要約】【課題】扉板部に特別な支持構造の形成やビス、ネジ等による面倒な取付固定を必要とすることなしに、簡便に立設した状態であっても扉板部への着脱を可能として、取手の選定を容易にすることのできる、新しい扉の取手サンプルを提供する。【解決手段】扉板部の端部を弾性把持する把持部（１１）とこの把持部（１１）に立設配置した取手握り部（１２）とを備え、扉板部端部に着脱自在とされている扉の取手サンプルとする。【選択図】　　　　図１
2004100394.tif 000002
【特許請求の範囲】
【請求項１】
扉板部の端部を弾性把持する把持部とこの把持部に立設配置した取手握り部とを備え、扉板部端部に着脱自在とされていることを特徴とする扉の取手サンプル。
【請求項２】
把持部は扉板部の色調もしくは模様が透視される透明体であることを特徴とする請求項１の扉の取手サンプル。
【請求項３】
把持部はその断面がコ字型であって、少くとも一方の端部は、弾性把持のための内方から外方への屈曲部を有していることを特徴とする請求項１または２の扉の取手サンプル。
【請求項４】
把持部には、取手位置決めのための寸法部が設けられていることを特徴とする請求項１ないし３のいずれかの扉の取手サンプル。
【発明の詳細な説明】
【０００１】
【発明の属する技術分野】
この出願の発明は、扉の取手サンプルに関するものである。さらに詳しくは、この出願の発明は、キャビネット、ショーケース、各種収納庫等の扉の取手の選定を容易とし、取扱いも簡便な、新しい扉の取手サンプルに関するものである。
【０００２】
【従来の技術】
従来、新たなキャビネットやショーケース、その他各種の収納庫等の設置やそれらの改装時において、取手を選定したり、変更する場合には、一般的に、平面状に置いた扉板部の表面に各種意匠の取手サンプルを載置するか、あるいは取手サンプルを手に持って、立設された扉板部にこれを押し当てて、実際に採用する取手を選定するようにしている。
【０００３】
一方、たとえば図４に示したように、ショーケース等における扉（ア）の取手（イ）を各種のオプションより選択して着脱交換自在にした構造がこれまでに知られている（特許文献１および２）。
【０００４】
【特許文献】
１：特開平１０−３３９０５９号公報
２：特開平１０−３３２２５５号公報
【０００５】
【発明が解決しようとする課題】
しかしながら、前記のとおりの従来の取手サンプルの場合には、立設した扉板部の場合には手を離すと取手サンプルが落下してしまい、外観性が充分に判断しずらいことや、取手を実際に握った時の感覚が得られないという問題がある。
【０００６】
これに対して、従来公知の取手を着脱交換自在した扉の場合には、扉板部に対して取手を取付固定するための支持構造があらかじめ形成されており、この支持構造のための扉板部の複雑な加工が必要であった。この公知の支持構造を取手サンプルの場合に適用しようとすると、取手サンプルをビス、ネジ等により取付け固定しなければならず、取手サンプルを用いての目視による取手の選定は大変に面倒なものになるという問題があった。
【０００７】
そこで、この出願の発明は、以上のとおりの従来の問題点を解消し、扉板部に特別な支持構造の形成やビス、ネジ等による面倒な取付固定を必要とすることなしに、簡便に立設した状態であっても扉板部への着脱を可能として、取手の選定を容易にすることのできる、新しい扉の取手サンプルを提供することを課題としている。
【０００８】
【課題を解決するための手段】
この出願の発明は、上記の課題を解決するものとして、第１には、扉板部の端部を弾性把持する把持部とこの把持部に立設配置した取手握り部とを備え、扉板部端部に着脱自在とされていることを特徴とする扉の取手サンプルを提供する。
【０００９】
また、この出願の発明は、第２には、前記の把持部は扉板部の色調もしくは模様が透視される透明体であることを特徴とする扉の取手サンプルを提供し、第３には、把持部はその断面がコ字型であって、少くとも一方の端部は、弾性把持のための内方から外方への屈曲部を有していることを特徴とする扉の取手サンプルを、第４には、把持部には、取手位置決めのための寸法部が設けられていることを特徴とする扉の取手サンプルを提供する。
【００１０】
【発明の実施の形態】
この出願の発明は上記のとおりの特徴をもつものであるが、以下にその実施の形態について説明する。
【００１１】
添付した図１は、この出願の発明の取手サンプルについて基本的な概要を説明した斜視図であり、図２はその断面図である。たとえばこの図１および図２に例示した発明の実施の形態においては、取手サンプル（１）は、扉板部の端部を弾性把持する把持部（１１）と、これに立設配置している取手握り部（１２）とを有し、把持部（１１）において、取手サンプル（１）は、扉板部に着脱自在とされ、扉板部が立設されている場合でも、取手サンプル（１）が落下しないようにされている。
【００１２】
このような構成によって、取手サンプル（１）は、扉板部の端部に嵌め込むだけで取付けができ、目視による外観判断とともに、取手握り部（１２）を実際に手に握って、感覚を確認することができる。このため、扉の取手の選定が目視と実感に基づいてより的確で好ましいものとなる。
【００１３】
この把持部（１１）での弾性把持のために、図１および図２の例では、把持部（１１）の断面はコ字型（もしくは略コ字型）であって、一方の端部には、内方から外方への屈曲部（１１Ａ）を有している。この屈曲部（１１Ａ）は、たとえば図３に例示したように、扉板部（２）の端部が押し込まれていることによって図中の矢印方向、すなわち外方に向って拡大され、これにともなう逆方向の弾発力により扉板部（２）の端部を把持部（１１）がしっかりと把持することになる。
【００１４】
もちろん、把持部（１１）における弾性把持は、以上の例のような屈曲部（１１Ａ）の弾発力を利用する形態だけでなく、様々であってよい。たとえば把持部（１１）の断面コ字型の溝内に板バネ、皿バネ等のバネ体を装着しておいてもよいし、ゴム体やスポンジ体の弾性を利用するようにしてもよい。
【００１５】
また、屈曲部（１１Ａ）は、図１および図２のように一方の端部に設けるだけでなく、上下の両方の端部に設けてもよい。
【００１６】
そして、以上のような弾性把持を可能とするこの出願の発明の取手サンプル（１）においては、把持部（１１）は、樹脂、金属等の各種の素材によって構成してよいが、なかでも透明性の樹脂、たとえばアクリル樹脂等を用いることによって、扉板部（２）の色調や模様が透視可能とされることが好ましい。
【００１７】
これによって、実際に取手を取付けた場合の外観性が扉板部全体の観点より容易に把握することができる。
【００１８】
また、この出願の発明の扉の取手サンプルにおいては、把持部（１１）には、取手取付位置決めのための寸法部が設けられてもよい。たとえば、図１に例示されているように、把持部（１１）には所定の寸法の長さの延長部（１１Ｂ）を設け、これを前記の寸法部とすることもできるし、この延長部（１１Ｂ）に寸法目盛を配設しておいて、これを寸法部とすることもできる。これによって、たとえば延長部（１１Ｂ）の端部（１１Ｃ）を扉板部（２）の上端位置に合わせることで、所定寸法位置に取手を取付固定した場合の外観性、位置バランス観を的確に、かつ容易に把握することができる。寸法目盛がある場合にも同様である。
【００１９】
もちろん、延長部（１１Ｂ）ではなく、取手握り部（１２）端部とほとんど差のない逆の端部（１１Ｄ）をもって位置決めしてもよい。
【００２０】
さらにこの出願の発明においては、図１の例のように、取手握り部（１２）の両端部（１２Ａ）（１２Ｂ）が同じ板状体の把持部（１１）に固定されていなくてもよい。把持部（１１）は分離されて、取手握り部（１２）の両端部（１２Ａ）（１２Ｂ）は、別々の把持部（１１）に立設配置されていてもよい。もちろん取手握り部（１２）それ自身についても、図１の例に限られることはなく、その意匠をはじめ、取付けも一箇所で把持部（１１）に固定される等の構造であってもよい。
【００２１】
この出願の発明は、以上の例示に限られることなく、その細部の形態においてさらに様々であってよいことは言うまでもない。
【００２２】
【発明の効果】
以上詳しく説明したとおり、この出願の発明によって、従来の問題点を解消し、扉板部に特別な支持構造の形成やビス、ネジ等による面倒な取付固定を必要とすることなしに、簡便に立設した状態であっても扉板部への着脱を可能として、取手の選定を容易にすることのできる、新しい扉の取手サンプルを提供することができる。
【図面の簡単な説明】
【図１】この出願の発明の一実施形態を例示した斜視図である。
【図２】図１の例の断面図である。
【図３】弾性把持について示した断面図である。
【図４】従来例について示した斜視図である。
【符号の説明】
１　取手サンプル
１１　把持部
１１Ａ　屈曲部
１１Ｂ　延長部
１１Ｃ　端部
１１Ｄ　端部
１２　取手握り部
１２Ａ、１２Ｂ　端部
２　扉板部
【図１】
2004100394.tif 000003
【図２】
2004100394.tif 000004
【図３】
2004100394.tif 000005
【図４】
2004100394.tif 000006